(57)【特許請求の範囲】
【請求項１】
入力端子からの入力を２対３に分配した２／５と３／５との分配出力を出力する第１の２分配器と、
第１の２分配器からの２／５の分配出力を１対１に等分配した２／１０の分配出力を第１出力端子および第２出力端子にそれぞれ出力する第２の２分配器と、
第１の２分配器からの３／５の分配出力を１対２に分配した３／１５と６／１５との分配出力を出力する第３の２分配器と、
第３の２分配器からの３／１５の分配出力を第３出力端子に出力する整合回路と、
第３の２分配器からの６／１５の分配出力を１対１に等分配した６／３０の分配出力を第４出力端子および第５出力端子にそれぞれ出力する第４の２分配器とを備え、
前記第１の２分配器ないし前記第４の２分配器は、入力端子と出力端子Ａとの間に接続された伝送線路Ａと、入力端子と出力端子Ｂとの間に接続された伝送線路Ｂと、出力端子Ａと出力端子Ｂとの間に接続され、前記出力端子Ａのインピーダンスと前記出力端子Ｂのインピーダンスとの和の抵抗値とされたアイソレーション抵抗とを備えるウィルキンソン型２分配器とされ、前記入力端子および前記第１出力端子ないし前記第５出力端子のインピーダンスが同一のインピーダンス値とされていると共に、前記第１の２分配器ないし前記第４の２分配器のアイソレーション抵抗が同一の抵抗値とされており、前記入力端子からの入力が１／５ずつに等分配されて前記第１出力端子ないし前記第５出力端子からそれぞれ出力されることを特徴とする分配器。
【請求項２】
入力端子からの入力を２対４に分配した２／６と４／６との分配出力を出力する第１の２分配器と、
第１の２分配器からの２／６の分配出力を１対１に等分配した２／１２の分配出力を第１出力端子および第２出力端子にそれぞれ出力する第２の２分配器と、
第１の２分配器からの４／６の分配出力を２対２に等分配した８／２４の分配出力をそれぞれ出力する第３の２分配器と、
第３の２分配器からの８／２４の一方の分配出力を１対１に等分配した８／４８の分配出力を第３出力端子および第４出力端子にそれぞれ出力する第４の２分配器と、
第３の２分配器からの８／２４の他方の分配出力を１対１に等分配した８／４８の分配出力を第５出力端子および第６出力端子にそれぞれ出力する第５の２分配器とを備え、
前記第１の２分配器ないし前記第５の２分配器は、入力端子と出力端子Ａとの間に接続された伝送線路Ａと、入力端子と出力端子Ｂとの間に接続された伝送線路Ｂと、出力端子Ａと出力端子Ｂとの間に接続され、前記出力端子Ａのインピーダンスと前記出力端子Ｂのインピーダンスとの和の抵抗値とされたアイソレーション抵抗とを備えるウィルキンソン型２分配器とされ、前記入力端子および前記第１出力端子ないし前記第６出力端子のインピーダンスが同一のインピーダンス値とされていると共に、前記第１の２分配器ないし前記第５の２分配器のアイソレーション抵抗が同一の抵抗値とされており、前記入力端子からの入力が１／６ずつに等分配されて前記第１出力端子ないし前記第６出力端子からそれぞれ出力されることを特徴とする分配器。
【請求項３】
入力端子からの入力を１対１に等分配した１／２の分配出力をそれぞれ出力する第１の２分配器と、
第１の２分配器からの１／２の一方の分配出力を２対１に分配した２／６と１／６との分配出力をそれぞれ出力する第２の２分配器と、
第２の２分配器からの２／６の分配出力を１対１に等分配した２／１２の分配出力を第１出力端子および第２出力端子にそれぞれ出力する第３の２分配器と、
第２の２分配器からの１／６の分配出力を第３出力端子に出力する第１の整合回路と、
第１の２分配器からの１／２の他方の分配出力を１対２に分配した１／６と２／６との分配出力をそれぞれ出力する第４の２分配器と、
第４の２分配器からの１／６の分配出力を第４出力端子に出力する第２の整合回路と、
第４の２分配器からの２／６の分配出力を１対１に等分配した２／１２の分配出力を第５出力端子および第６出力端子にそれぞれ出力する第５の２分配器とを備え、
前記第１の２分配器ないし前記第５の２分配器は、入力端子と出力端子Ａとの間に接続された伝送線路Ａと、入力端子と出力端子Ｂとの間に接続された伝送線路Ｂと、出力端子Ａと出力端子Ｂとの間に接続され、前記出力端子Ａのインピーダンスと前記出力端子Ｂのインピーダンスとの和の抵抗値とされたアイソレーション抵抗とを備えるウィルキンソン型２分配器とされ、前記入力端子および前記第１出力端子ないし前記第６出力端子のインピーダンスが同一のインピーダンス値とされていると共に、前記第１の２分配器ないし前記第５の２分配器のアイソレーション抵抗が同一の抵抗値とされており、前記入力端子からの入力が１／６ずつに等分配されて前記第１出力端子ないし前記第６出力端子からそれぞれ出力されることを特徴とする分配器。
【発明の詳細な説明】
【技術分野】
【０００１】
本発明は、ウィルキンソン型２分配器を用いた分配器に関し、多分配する場合に部品の種類を少なくすることができる分配器に関する。
【背景技術】
【０００２】
信号電力を８分配する８分配器の構成の一例を示す回路ブロック図を図８に示す。図８に示す８分配器５００は、等分配器とされた７個の２分配器をトーナメント式に組み合わせて実現されている。すなわち、８分配器５００は、１段目の２分配器５０１により入力端子ＩＮから入力された信号電力を１／２ずつに分配して２段目の２分配器５０２，５０３に供給する。２段目の２分配器５０２，５０３では、２分配器５０１で分配された信号電力をさらに１／２ずつに分配して３段目の２分配器５０４，５０５，５０６，５０７にそれぞれ供給する。３段目の２分配器５０４〜５０７で、さらに１／２ずつに分配された信号電力は、出力端子ＯＵＴ１，ＯＵＴ２，ＯＵＴ３，ＯＵＴ４，ＯＵＴ５，ＯＵＴ６，ＯＵＴ７，ＯＵＴ８から出力される。この８分配器５００の理論的な分配損失は約９ｄＢとなる。
【０００３】
また、信号電力を５分配する５分配器の構成の一例を示す回路ブロック図を図９に示す。図９に示す５分配器６００は、等分配器とされた７個の２分配器をトーナメント式に組み合わせて実現されている。すなわち、５分配器６００は、１段目の２分配器６０１により入力端子ＩＮから入力された信号電力を１／２ずつに分配して２段目の２分配器６０２，６０３に供給する。２段目の２分配器６０２，６０３では、２分配器６０１で分配された信号電力をさらに１／２ずつに分配して３段目の２分配器６０４，６０５，６０６，６０７にそれぞれ供給する。３段目の２分配器６０４〜６０７で、さらに１／２ずつに信号電力が分配されるが、２分配器６０４，６０５の分配出力は、出力端子ＯＵＴ１，ＯＵＴ２，ＯＵＴ３，ＯＵＴ４から出力され、２分配器６０６の一方の分配出力はＯＵＴ５から出力されるが、他方の分配出力は終端器６０８で終端されると共に、２分配器６０７の分配出力は終端器６０９，６１０で終端される。５分配器の理論的な分配損失は約７ｄＢであるが、図９に示す５分配器６００では終端器６０８〜６１０で終端される信号電力が損失となることから約９ｄＢとなり、分配損失が約２ｄＢ増加するようになる。
【０００４】
ところで、高周波の信号電力を分配または合成する電力分配合成器としては、回路構成の単純さとインピーダンス変換機能を併せ持たせることができるという長所を備えているため、ウィルキンソン回路が多く用いられている。従来のウィルキンソン型２分配器７００の構成を図１０に示す（特許文献１，２参照）。図１０に示すウィルキンソン型２分配器７００は、入力端子IN100に入力された信号電力を、出力端子OUT100と出力端子OUT101とに１／２ずつ等分配する２分配回路とされている。ウィルキンソン型２分配器７００は、入力端子IN100に一端が接続された伝送線路７０１と伝送線路７０２とを有し、伝送線路７０１と伝送線路７０２との他端が出力端子OUT100と出力端子OUT101に接続されている。伝送線路７０１と伝送線路７０２との他端の間に接続された抵抗Ｒ100は出力端子OUT100，OUT101間のアイソレーションをとるためのアイソレーション抵抗である。
【０００５】
入力端子IN100と出力端子OUT100および出力端子OUT101の特性インピーダンスをＺ100とする。入力端子IN100に入力された信号電力を、並列接続された伝送線路７０１および伝送線路７０２に１対１に等分配することから、伝送線路７０１および伝送線路７０２の入力側のインピーダンスＺ110は等しくなり、そのインピーダンスは入力端子OUT100のインピダンスＺ100の２倍の２Ｚ100となる。そして、伝送線路７０１は入力側と出力側のインピーダンスを整合させていることから、そのインピーダンスＺ701は、次式で表される。
Ｚ701＝√（Ｚ110・Ｚ100）＝√（２Ｚ100・Ｚ100）＝Ｚ100√２
また、伝送線路７０２の入力側と出力側のインピーダンスは伝送線路７０１と等しいことから、伝送線路７０２のインピーダンスＺ702は伝送線路７０１のインピーダンスＺ701と等しい。伝送線路７０１および伝送線路７０２のインピーダンスを上式のインピーダンスとすると共に、その長さをλ／４（λ：使用周波数の波長）にそれぞれ設定することにより、ウィルキンソン型２分配器７００と、入力端子IN100、出力端子OUT100および出力端子OUT101とに接続される回路とのインピーダンス整合が実現する。さらに、アイソレーション抵抗である抵抗Ｒ100を、出力端子OUT100，OUT101のインピーダンスの２倍の２Ｚ100とした時に、良好なアイソレーションを得ることができる。
【先行技術文献】
【特許文献】
【０００６】
【特許文献１】特許第３４７３５１８号公報
【特許文献２】特公平２−６２４２号公報
【特許文献３】特許第３２０９０８６号公報
【発明の概要】
【発明が解決しようとする課題】
【０００７】
ところで、特許文献３にはウィルキンソン型２分配器において１対２に不等分配する不等分配器が開示されていると共に、不等分配器を初段に設けた６分配器が開示されている。また、入力された信号電力を１対２に分配するウィルキンソン型２分配器においては、並列に配置された２本の伝送線路の電気長が使用周波数において１／４波長の分布定数線路とされ、この分布定数線路の特性インピーダンスの値が１対２の電力分配比で分配されるように設定すること、出力端間に接続された抵抗がアイソレーションを得るための抵抗であることが開示されている。しかしながら、２本の分布定数線路の特性インピーダンスのインピーダンス値およびアイソレーションを得るための抵抗の抵抗値について具体的な値は開示されていない。
【０００８】
そこで、本発明は、ウィルキンソン型２分配器を用いた分配器に関し、多分配する場合に部品の種類を少なくすることができる分配器を提供することを目的としている。
【課題を解決するための手段】
【０００９】
本発明の分配器は、入入力端子からの入力を２対３に分配した２／５と３／５との分配出力を出力する第１の２分配器と、第１の２分配器からの２／５の分配出力を１対１に等分配した２／１０の分配出力を第１出力端子および第２出力端子にそれぞれ出力する第２の２分配器と、第１の２分配器からの３／５の分配出力を１対２に分配した３／１５と６／１５との分配出力を出力する第３の２分配器と、第３の２分配器からの３／１５の分配出力を第３出力端子に出力する整合回路と、第３の２分配器からの６／１５の分配出力を１対１に等分配した６／３０の分配出力を第４出力端子および第５出力端子にそれぞれ出力する第４の２分配器とを備え、前記第１の２分配器ないし前記第４の２分配器は、入力端子と出力端子Ａとの間に接続された伝送線路Ａと、入力端子と出力端子Ｂとの間に接続された伝送線路Ｂと、出力端子Ａと出力端子Ｂとの間に接続され、前記出力端子Ａのインピーダンスと前記出力端子Ｂのインピーダンスとの和の抵抗値とされたアイソレーション抵抗とを備えるウィルキンソン型２分配器とされ、前記入力端子および前記第１出力端子ないし前記第５出力端子のインピーダンスが同一のインピーダンス値とされていると共に、前記第１の２分配器ないし前記第４の２分配器のアイソレーション抵抗が同一の抵抗値とされており、前記入力端子からの入力が１／５ずつに等分配されて前記第１出力端子ないし前記第５出力端子からそれぞれ出力されることを最も主要な特徴としている。
【発明の効果】
【００１０】
本発明の分配器は、分配器の入力端子および第１出力端子ないし第５出力端子のインピーダンスが同一のインピーダンス値とされていると共に、分配器を構成するウィルキンソン型２分配器のすべてのアイソレーション抵抗の抵抗値を同一にするようにしたので、部品の種類を少なくすることができる分配器とすることができる。また、分配器を構成する２分配器の各分配比を実用上問題のない分配比としたので、本発明の分配器を容易に実現することができる。
【図面の簡単な説明】
【００１１】
【図１】本発明の第１実施例の５分配器の概略構成を示す回路ブロック図である。
【図２】本発明の第２実施例の６分配器の概略構成を示す回路ブロック図である。
【図３】本発明の第１実施例の５分配器の詳細構成を示す回路ブロック図、ウィルキンソン型２分配器の構成を示す回路図である。
【図４】本発明の第２実施例の６分配器の詳細構成を示す回路ブロック図である。
【図５】本発明の第３実施例の６分配器の概略構成を示す回路ブロック図である。
【図６】本発明の第３実施例の６分配器の詳細構成を示す回路ブロック図である。
【図７】本発明の他の実施例の５分配器の詳細構成を示す回路ブロック図である。
【図８】従来の８分配器の構成を示す回路ブロック図である。
【図９】従来の５分配器の構成を示す回路ブロック図である。
【図１０】従来のウィルキンソン型２分配器の構成を示す回路図である。
【発明を実施するための形態】
【００１２】
本発明の第１実施例の５分配器１の概略構成を示す回路ブロック図を図１に示す。
図１に示す第１実施例の５分配器１は、ウィルキンソン型２分配器である４個の第１の２分配器１０ないし第４の２分配器１３と、１個の整合回路とを組み合わせて構成されており、入力端子Ｊ0と、５つの出力端子Ｊ1，Ｊ2，Ｊ3，Ｊ4，Ｊ5の特性インピーダンスのインピーダンス値は全て等しくＺ0とされている。第１実施例の５分配器１は、第１の２分配器１０により入力端子Ｊ0から入力された信号電力が２対３に不等分配されて第２の２分配器１１と第３の２分配器１２に供給される。不等分配する第１の２分配器１０の２／５に分配された信号電力が出力される一方の出力端子Ｔ10の出力インピーダンスは６Ｚ0／５とされ、３／５に分配された信号電力が出力される他方の出力端子Ｔ11の出力インピーダンスは４Ｚ0／５と、分配比の逆数の比率とされている。
【００１３】
第１の２分配器１０の一方の出力端子Ｔ10から出力される２／５に分配された信号電力は、第２の２分配器１１において１対１（１／２ずつ）に等分配されて２つの出力端子Ｊ1，Ｊ2から出力される。このため、出力端子Ｊ1，Ｊ2から出力される信号電力は１／５ずつに分配された信号電力となる。また、第１の２分配器１０の他方の出力端子Ｔ11から出力される３／５に分配された信号電力は、第３の２分配器１２において１対２に不等分配される。不等分配する第３の２分配器１２の１／３に分配された信号電力が出力される一方の出力端子Ｔ12の出力インピーダンスは４Ｚ0／３とされ、２／３に分配された信号電力が出力される他方の出力端子Ｔ13の出力インピーダンスは２Ｚ0／３と、分配比の逆数の比率とされている。第３の２分配器１２の一方の出力端子Ｔ12から出力される１／３に分配された信号電力は、整合回路１４を介して出力端子Ｊ3から出力される。出力端子Ｊ3から出力される信号電力は、（３／５）×（１／３）となり１／５に分配された信号電力となる。整合回路１４は、一方の出力端子Ｔ12の出力インピーダンス（４Ｚ0／３）と出力端子Ｊ3のインピーダンスＺ0とを整合させている。
【００１４】
また、第３の２分配器１２の他方の出力端子Ｔ13から出力される２／３に分配された信号電力は、第４の２分配器１３において１対１（１／２ずつ）に等分配されて２つの出力端子Ｊ4，Ｊ5から出力される。このため、出力端子Ｊ4，Ｊ5から出力される信号電力は（３／５）×（２／３）×（１／２）となり１／５ずつに分配された信号電力となる。このように、第１実施例の５分配器１では、入力端子Ｊ0から入力された信号電力が１／５ずつに分配されて、出力端子Ｊ1，Ｊ2，Ｊ3，Ｊ4，Ｊ5から出力される。この５分配器１の理論的な分配損失はいずれの出力端子でも約７ｄＢとなる。
【００１５】
次に、本発明の第２実施例の６分配器２の概略構成を示す回路ブロック図を図２に示す。
図２に示す第２実施例の６分配器２は、ウィルキンソン型２分配器である５個の第１の分配器２０ないし第５の２分配器２４を組み合わせて構成されており、入力端子Ｊ0と、６つの出力端子Ｊ1，Ｊ2，Ｊ3，Ｊ4，Ｊ5，Ｊ6の特性インピーダンスのインピーダンス値は全て等しくＺ0とされている。第２実施例の６分配器２は、第１の２分配器２０により入力端子Ｊ0から入力された信号電力が２対４に不等分配されて第２の２分配器２１と第３の２分配器２２に供給される。不等分配する第１の２分配器２０の２／６に分配された信号電力が出力される一方の出力端子Ｔ20の出力インピーダンスは４Ｚ0／３とされ、４／６に分配された信号電力が出力される他方の出力端子Ｔ21の出力インピーダンスは２Ｚ0／３と、分配比の逆数の比率とされている。
【００１６】
第１の２分配器２０の一方の出力端子Ｔ20から出力される２／６に分配された信号電力は、第２の２分配器２１において１対１（１／２ずつ）に等分配されて２つの出力端子Ｊ1，Ｊ2から出力される。このため、出力端子Ｊ1，Ｊ2から出力される信号電力は１／６ずつに分配された信号電力となる。また、第１の２分配器２０の他方の出力端子Ｔ21から出力される４／６に分配された信号電力は、第３の２分配器２２において２対２（１／２ずつ）に等分配されて２つの出力端子Ｔ22，Ｔ23から出力される。２つの出力端子Ｔ22，Ｔ23の出力インピーダンスはそれぞれＺ0とされる。第３の２分配器２２の一方の出力端子Ｔ22から出力される２／４に分配された信号電力は、第４の２分配器２３において１対１（１／２ずつ）に等分配されて２つの出力端子Ｊ3，Ｊ4から出力される。このため、出力端子Ｊ3，Ｊ4から出力される信号電力は（４／６）×（２／４）×（１／２）となり１／６ずつに分配された信号電力となる。
【００１７】
また、第３の２分配器２２の他方の出力端子Ｔ23から出力される２／４に分配された信号電力は、第５の２分配器２４において１対１（１／２ずつ）に等分配されて２つの出力端子Ｊ5，Ｊ6から出力される。このため、出力端子Ｊ5，Ｊ6から出力される信号電力は（４／６）×（２／４）×（１／２）となり１／６ずつに分配された信号電力となる。このように、第２実施例の６分配器２では、入力端子Ｊ0から入力された信号電力が１／６ずつに分配されて、出力端子Ｊ1，Ｊ2，Ｊ3，Ｊ4，Ｊ5，Ｊ6から出力される。この６分配器２の理論的な分配損失はいずれの出力端子でも約７．８ｄＢとなる。
【００１８】
次に、図１に示す第１実施例の５分配器１の詳細な構成を示す回路ブロック図を図３（ａ）に示し、ウィルキンソン型２分配器の構成を示す回路図を図３（ｂ）に示す。
第１実施例の５分配器１の詳細な構成が図３（ａ）に示す５分配器１００とされている。５分配器１００における不等２分配器１０１、等２分配器１０２、不等２分配器１０３、等２分配器１０４はウィルキンソン型２分配器とされており、図１に示す５分配器１の第１の２分配器１０、第２の２分配器１１、第３の２分配器１２、第４の２分配器１３にそれぞれ相当している。そして、入力端子Ｊ0と、５つの出力端子Ｊ1，Ｊ2，Ｊ3，Ｊ4，Ｊ5の特性インピーダンスのインピーダンス値は全て等しくＺ0とされている。不等２分配器１０１は、入力端子Ｊ0に一端が接続され、他端が出力端子Ｔ103に接続されたインピーダンスＺ1の伝送線路１１１と、入力端子Ｊ0に一端が接続され、他端が出力端子Ｔ104に接続されたインピーダンスＺ2の伝送線路１１２と、出力端子Ｔ103と出力端子Ｔ104との間に接続されたアイソレーション抵抗（Ｒ1）１１３とから構成されている。
【００１９】
ここで、５分配器１００に使用されるウィルキンソン型２分配器を一般化して図３（ｂ）に２分配器１０００として示し、２分配器１０００について説明する。
この図に示す２分配器１０００は、入力端子Ｎ01に一端が接続され、他端が端子Ｔ03に接続されたインピーダンスＺ01の伝送線路０１と、入力端子Ｎ01に一端が接続され、他端が端子Ｔ04に接続されたインピーダンスＺ02の伝送線路０２と、端子Ｔ03と端子Ｔ04との間に接続されたアイソレーション抵抗（Ｒ01）０３とから構成されている。伝送線路０１の入力側の端子Ｔ01と、伝送線路０２の入力側の端子Ｔ02との分配比がａ対ｂとされており、端子Ｔ01と端子Ｔ02とのインピーダンス比は分配比の逆数の比率とされることから、
Ｔ01：Ｔ02＝ｂ：ａ                      （１）
となる。また、端子Ｔ01と端子Ｔ02とを並列接続したインピーダンスは、入力端子Ｎ01のインピーダンスｃＺ0に等しいから、
ｃＺ0＝（Ｔ01・Ｔ02）／（Ｔ01＋Ｔ02）    （２）
となる。上記（１）（２）の２つの式を解いてＴ01とＴ02のインピーダンスを求めると、
Ｔ01＝ｃＺ0（ａ＋ｂ）／ａ                （３）
Ｔ02＝ｃＺ0（ａ＋ｂ）／ｂ                （４）
となる。また、本発明にかかる５分配器および６分配器においては、アイソレーション抵抗を全ての２分配器において２Ｚ0の一種類とすることを前提としている。そして、アイソレーション抵抗が、端子Ｔ03のインピーダンスと端子Ｔ04のインピーダンスの和とした時に、出力端子の間のアイソレーションが解析により最大となることが求められたことから、
Ｒ01＝２Ｚ0＝Ｔ03＋Ｔ04                  （５）
となる。さらに、伝送線路０１の出力側の端子Ｔ03と伝送線路０２の出力側の端子Ｔ04とのインピーダンス比は分配比の逆数の比率とされることから、
Ｔ03：Ｔ04＝ｂ：ａ                      （６）
となる。上記（５）（６）の２つの式を解いてＴ03とＴ04のインピーダンスを求めると、
Ｔ03＝２Ｚ0・ｂ／（ａ＋ｂ）              （７）
Ｔ04＝２Ｚ0・ａ／（ａ＋ｂ）              （８）
となる。
次に、伝送線路０１は入力側の端子Ｔ01と出力側の端子Ｔ03とを整合させ、伝送線路０２は入力側の端子Ｔ02と出力側の端子Ｔ04とを整合させていることから、伝送線路０１，０２のインピーダンスＺ01，Ｚ02は、次式（９）（１０）で求められる。
Ｚ01＝√（Ｔ01・Ｔ03  ）                        （９）
Ｚ02＝√（Ｔ02・Ｔ04  ）                        （１０）
【００２０】
そうすると、不等２分配器１０１において分配比が２対３で入力端子Ｊ0のインピーダンスがＺ0（ｃ＝１）の場合は、上記（３）（４）式から端子Ｔ101のインピーダンスが５Ｚ0／２と算出され、端子Ｔ102のインピーダンスが５Ｚ0／３と算出される。また、上記（７）（８）式から出力端子Ｔ103の出力インピーダンスは６Ｚ0／５と算出され、５分配器１の出力端子Ｔ10に相当し、出力端子Ｔ104の出力インピーダンスは４Ｚ0／５と算出され、５分配器１の出力端子Ｔ11に相当する。さらに、伝送線路１１１のインピーダンスＺ1、伝送線路１１２のインピーダンスＺ2は、上記（９）（１０）式から、
Ｚ1＝√（Ｔ101・Ｔ103）＝√｛（５Ｚ0／２）・（６Ｚ0／５）｝＝Ｚ0√３
Ｚ2＝√（Ｔ102・Ｔ104）＝√｛（５Ｚ0／３）・（４Ｚ0／５）｝＝Ｚ0√（４／３）
と算出される。アイソレーション抵抗１１３の抵抗値Ｒ1は、上記（５）式から、
Ｒ1＝Ｔ103＋Ｔ104＝（６Ｚ0／５）＋（４Ｚ0／５）＝２Ｚ0
と算出される。
【００２１】
５分配器１の第２の２分配器１１に相当する等２分配器１０２は、入力側の端子Ｔ105に一端が接続され、他端が出力端子Ｔ107に接続されたインピーダンスＺ3の伝送線路１１４と、入力側の端子Ｔ106に一端が接続され、他端が出力端子Ｔ108に接続されたインピーダンスＺ4の伝送線路１１５と、出力端子Ｔ107と出力端子Ｔ108との間に接続されたアイソレーション抵抗（Ｒ2）１１６とから構成されている。
等２分配器１０２は分配比が１対１で、接続されている不等２分配器１０１の出力端子Ｔ103のインピーダンスが６Ｚ0／５（ｃ＝６／５）とされていることから、上記（３）（４）式から端子Ｔ105のインピーダンスが１２Ｚ0／５と算出され、端子Ｔ106のインピーダンスが１２Ｚ0／５と算出される。また、上記（７）（８）式から出力端子Ｔ107の出力インピーダンスはＺ0と算出され、出力端子Ｔ108の出力インピーダンスもＺ0と算出され、出力端子Ｊ1，Ｊ2のインピーダンスＺ0に等しくなる。さらに、伝送線路１１４のインピーダンスＺ3、伝送線路１１５のインピーダンスＺ4は、上記（９）（１０）式から、
Ｚ3＝√（Ｔ105・Ｔ107）＝√｛（１２Ｚ0／５）・Ｚ0｝＝Ｚ0√（１２／５）
Ｚ4＝√（Ｔ106・Ｔ108）＝√｛（１２Ｚ0／５）・Ｚ0｝＝Ｚ0√（１２／５）
と算出される。アイソレーション抵抗１１６の抵抗値Ｒ2は、上記（５）式から、
Ｒ2＝Ｔ107＋Ｔ108＝Ｚ0＋Ｚ0＝２Ｚ0
と算出される。
【００２２】
５分配器１の第３の２分配器１２に相当する不等２分配器１０３は、入力側の端子Ｔ110に一端が接続され、他端が出力端子Ｔ112に接続されたインピーダンスＺ5の伝送線路１１７と、入力側の端子Ｔ111に一端が接続され、他端が出力端子Ｔ113に接続されたインピーダンスＺ6の伝送線路１１８と、出力端子Ｔ112と出力端子Ｔ113との間に接続されたアイソレーション抵抗（Ｒ3）１１９とから構成されている。
不等２分配器１０３は分配比が１対２で、接続されている不等２分配器１０１の出力端子Ｔ104のインピーダンスが４Ｚ0／５（ｃ＝４／５）とされていることから、上記（３）（４）式から端子Ｔ110のインピーダンスが１２Ｚ0／５と算出され、端子Ｔ111のインピーダンスが６Ｚ0／５と算出される。また、上記（７）（８）式から出力端子Ｔ112の出力インピーダンスは４Ｚ0／３と算出され、５分配器１の出力端子Ｔ12に相当し、出力端子Ｔ113の出力インピーダンスは２Ｚ0／３と算出され、５分配器１の出力端子Ｔ13に相当する。さらに、伝送線路１１７のインピーダンスＺ5、伝送線路１１８のインピーダンスＺ6は、上記（９）（１０）式から、
Ｚ5＝√（Ｔ110・Ｔ112）＝√｛（１２Ｚ0／５）・（４Ｚ0／３）｝＝Ｚ0√（１６／５）
Ｚ6＝√（Ｔ111・Ｔ113）＝√｛（６Ｚ0／５）・（２Ｚ0／３）｝＝Ｚ0√（４／５）
と算出される。アイソレーション抵抗１１９の抵抗値Ｒ3は、上記（５）式から、
Ｒ3＝Ｔ112＋Ｔ113＝４Ｚ0／３＋２Ｚ0／３＝２Ｚ0  
と算出される。
【００２３】
整合回路１２０は伝送線路から構成され、５分配器１の整合回路１４に相当し、不等２分配器１０３の一方の出力端子Ｔ112のインピーダンスと出力端子Ｊ3のインピーダンスＺ0とを整合させている。整合回路１２０を構成する伝送線路のインピーダンスＺ7は、次式で算出される。
Ｚ7＝√（Ｔ112・Ｚ0）＝√｛（４Ｚ0／３）・Ｚ0｝＝Ｚ0√（４／３）
【００２４】
５分配器１の第４の２分配器１３に相当する等２分配器１０４は、入力側の端子Ｔ114に一端が接続され、他端が出力端子Ｔ116に接続されたインピーダンスＺ8の伝送線路１２１と、入力側の端子Ｔ115に一端が接続され、他端が出力端子Ｔ117に接続されたインピーダンスＺ9の伝送線路１２２と、出力端子Ｔ116と出力端子Ｔ117との間に接続されたアイソレーション抵抗（Ｒ4）１２３とから構成されている。
等２分配器１０４は分配比が１対１で、接続されている不等２分配器１０３の出力端子Ｔ113のインピーダンスが２Ｚ0／３（ｃ＝２／３）とされていることから、上記（３）（４）式から端子Ｔ114のインピーダンスが４Ｚ0／３と算出され、端子Ｔ115のインピーダンスが４Ｚ0／３と算出される。また、上記（７）（８）式から出力端子Ｔ116の出力インピーダンスはＺ0と算出され、出力端子Ｔ117の出力インピーダンスもＺ0と算出され、出力端子Ｊ4，Ｊ5のインピーダンスＺ0に等しくなる。さらに、伝送線路１２１のインピーダンスＺ8、伝送線路１２２のインピーダンスＺ9は、上記（９）（１０）式から、
Ｚ8＝√（Ｔ114・Ｔ116）＝√｛（４Ｚ0／３）・Ｚ0｝＝Ｚ0√（４／３）
Ｚ9＝√（Ｔ115・Ｔ117）＝√｛（４Ｚ0／３）・Ｚ0｝＝Ｚ0√（４／３）
と算出される。アイソレーション抵抗１２３の抵抗値Ｒ4は、上記（５）式から、
Ｒ4＝Ｔ116＋Ｔ117＝Ｚ0＋Ｚ0＝２Ｚ0
と算出される。
【００２５】
以上説明した図３に示す５分配器１００において、不等２分配器１０１、等２分配器１０２、不等２分配器１０３、等２分配器１０４は図３（ｂ）に示すウィルキンソン型２分配器とされており、これらの２分配器における伝送線路１１１，１１２，１１４，１１５，１１７，１１８，１２１，１２２および整合回路１２０の伝送線路は、５分配器１００の使用周波数の波長をλとした際に、電気長が使用周波数においてλ／４の分布定数線路とされ，そのインピーダンスは上記のように算出されたインピーダンスとされている。伝送線路とされる分布定数線路は、同軸線路、ストリップライン、マイクロストリップライン、コプレナーラインなどとすることができる。５分配器１００において、回路部品としてはアイソレーション抵抗（Ｒ1〜Ｒ4）１１３，１１６，１１９，１２３が必要となるが、アイソレーション抵抗（Ｒ1〜Ｒ4）の抵抗値は全て同じ抵抗値（２Ｚ0）とされることから、１種類の部品しか必要とせず低コスト化を図ることができる。
【００２６】
ここで、５分配器１００の各部の具体的なインピーダンス値の一例について説明する。入力端子Ｊ0と、５つの出力端子Ｊ1，Ｊ2，Ｊ3，Ｊ4，Ｊ5の特性インピーダンスＺ0を５０Ωとすると、伝送線路１１１のインピーダンスＺ1は約８６．６Ω、伝送線路１１２のインピーダンスＺ2は約５７．７Ω、伝送線路１１４，１１５のインピーダンスＺ3，Ｚ4は約７７．４Ω、伝送線路１１７のインピーダンスＺ5は約８９．４Ω、伝送線路１１８のインピーダンスＺ6は約４４．７Ω、伝送線路１２１，１２２のインピーダンスＺ8，Ｚ9は約５７．７Ω、整合回路１２０のインピーダンスＺ7は約５７．７Ωとなる。また、アイソレーション抵抗（Ｒ1〜Ｒ4）の抵抗値は１００Ωとなる。図３に示す５分配器１００のように、ウィルキンソン型電力分配器では耐電力が大きな放熱用フランジ付きのアイソレーション抵抗（Ｒ1〜Ｒ4）が必要となるが、市販されている大きな放熱用フランジ付きのアイソレーション抵抗の抵抗値は１００Ωが、一般的とされている。この理由は、広く一般的に使用されている入出力インピーダンスが５０Ωのウィルキンソン型均等２分配器とされ、１００Ω（入出力インピーダンスの２倍）の大きな放熱用フランジ付きのアイソレーション抵抗が大量に使用されているためである。本発明にかかる５分配器１００では、安価で入手の容易な１００Ωのアイソレーション抵抗だけを用いたウィルキンソン型２分配器のみで構成された、入出力インピーダンスが同一で、いずれの出力端子においても電力分配比が等しい５分配器となる。第１実施例の５分配器１００における出力端子Ｊ1，Ｊ2，Ｊ3，Ｊ4，Ｊ5の理論的な分配損失は、いずれの出力端子でも約７ｄＢとなる。
【００２７】
次に、図２に示す第２実施例の６分配器２の詳細な構成を示す回路ブロック図を図４に示す。
第２実施例の６分配器２の詳細な構成が図４に示す６分配器２００とされている。６分配器２００における不等２分配器２０１、等２分配器２０２、等２分配器２０３、等２分配器２０４、等２分配器２０５はウィルキンソン型２分配器とされており、図２に示す６分配器２の第１の２分配器２０、第２の２分配器２１、第３の２分配器２２、第４の２分配器２３、第５の２分配器２４にそれぞれ相当している。そして、入力端子Ｊ0と、６つの出力端子Ｊ1，Ｊ2，Ｊ3，Ｊ4，Ｊ5，Ｊ6の特性インピーダンスのインピーダンス値は全て等しくＺ0とされている。不等２分配器２０１は、入力端子Ｊ0に一端が接続され、他端が出力端子Ｔ203に接続されたインピーダンスＺ21の伝送線路２１１と、入力端子Ｊ0に一端が接続され、他端が出力端子Ｔ204に接続されたインピーダンスＺ22の伝送線路２１２と、出力端子Ｔ203と出力端子Ｔ204との間に接続されたアイソレーション抵抗（Ｒ21）２１３とから構成されている。
【００２８】
不等２分配器２０１は分配比が２対４で、接続されている入力端子Ｊ0のインピーダンスがＺ0（ｃ＝１）とされていることから、上記（３）（４）式から端子Ｔ201のインピーダンスが３Ｚ0と算出され、端子Ｔ202のインピーダンスが３Ｚ0／２と算出される。また、上記（７）（８）式から出力端子Ｔ203の出力インピーダンスは４Ｚ0／３と算出され、出力端子Ｔ204の出力インピーダンスは２Ｚ0／３と算出される。さらに、伝送線路２１１のインピーダンスＺ21、伝送線路２１２のインピーダンスＺ22は、上記（９）（１０）式から、
Ｚ21＝√（Ｔ201・Ｔ203）＝√｛（３Ｚ0）・（４Ｚ0／３）｝＝２Ｚ0  
Ｚ22＝√（Ｔ202・Ｔ204）＝√｛（３Ｚ0／２）・（２Ｚ0／３）｝＝Ｚ0
と算出される。アイソレーション抵抗１１３の抵抗値Ｒ21は、上記（５）式から、
Ｒ21＝Ｔ203＋Ｔ204＝（４Ｚ0／３）＋（２Ｚ0／３）＝２Ｚ0
と算出される。
【００２９】
６分配器２の第２の２分配器２１に相当する等２分配器２０２は、入力側の端子Ｔ205に一端が接続され、他端が出力端子Ｔ207に接続されたインピーダンスＺ23の伝送線路２１４と、入力側の端子Ｔ206に一端が接続され、他端が出力端子Ｔ208に接続されたインピーダンスＺ24の伝送線路２１５と、出力端子Ｔ207と出力端子Ｔ208との間に接続されたアイソレーション抵抗（Ｒ22）２１６とから構成されている。
等２分配器２０２は分配比が１対１で、接続されている不等２分配器２０１の出力端子Ｔ203のインピーダンスが４Ｚ0／３（ｃ＝４／３）とされていることから、上記（３）（４）式から端子Ｔ205のインピーダンスおよび端子Ｔ206のインピーダンスは共に８Ｚ0／３と算出される。また、上記（７）（８）式から出力端子Ｔ207のインピーダンスおよび出力端子Ｔ208の出力インピーダンスは共にＺ0と算出され、それぞれ出力端子Ｊ1，Ｊ2のインピーダンスＺ0に等しくなる。さらに、伝送線路２１４のインピーダンスＺ23、伝送線路２１５のインピーダンスＺ24は、上記（９）（１０）式から、
Ｚ23＝√（Ｔ205・Ｔ207）＝√｛（８Ｚ0／３）・Ｚ0｝＝Ｚ0√（８／３）
Ｚ24＝√（Ｔ206・Ｔ208）＝√｛（８Ｚ0／３）・Ｚ0｝＝Ｚ0√（８／３）
と算出される。アイソレーション抵抗２１６の抵抗値Ｒ22は、上記（５）式から、
Ｒ22＝Ｔ207＋Ｔ208＝Ｚ0＋Ｚ0＝２Ｚ0
と算出される。
【００３０】
６分配器２の第３の２分配器２２に相当する等２分配器２０３は、入力側の端子Ｔ210に一端が接続され、他端が出力端子Ｔ212に接続されたインピーダンスＺ25の伝送線路２１７と、入力側の端子Ｔ211に一端が接続され、他端が出力端子Ｔ213に接続されたインピーダンスＺ26の伝送線路２１８と、出力端子Ｔ212と出力端子Ｔ213との間に接続されたアイソレーション抵抗（Ｒ23）２１９とから構成されている。
等２分配器２０３は分配比が１対１で、接続されている不等２分配器２０１の出力端子Ｔ204のインピーダンスが２Ｚ0／３（ｃ＝２／３）とされていることから、上記（３）（４）式から端子Ｔ210のインピーダンスおよび端子Ｔ211のインピーダンスは共に４Ｚ0／３と算出される。また、上記（７）（８）式から出力端子Ｔ212のインピーダンスはＺ0と算出され、６分配器２の出力端子Ｔ22に相当し、出力端子Ｔ213のインピーダンスもＺ0と算出され、分配器２の出力端子Ｔ23に相当する。さらに、伝送線路２１７のインピーダンスＺ25、伝送線路２１８のインピーダンスＺ26は、上記（９）（１０）式から、
Ｚ25＝√（Ｔ210・Ｔ212）＝√｛（４Ｚ0／３）・Ｚ0｝＝Ｚ0√（４／３）
Ｚ26＝√（Ｔ211・Ｔ213）＝√｛（４Ｚ0／３）・Ｚ0｝＝Ｚ0√（４／３）
と算出される。アイソレーション抵抗２１９の抵抗値Ｒ23は、上記（５）式から、
Ｒ23＝Ｔ212＋Ｔ213＝Ｚ0＋Ｚ0＝２Ｚ0
と算出される。
【００３１】
６分配器２の第４の２分配器２３に相当する等２分配器２０４は、入力側の端子Ｔ214に一端が接続され、他端が出力端子Ｔ216に接続されたインピーダンスＺ27の伝送線路２２０と、入力側の端子Ｔ215に一端が接続され、他端が出力端子Ｔ217に接続されたインピーダンスＺ28の伝送線路２２１と、出力端子Ｔ216と出力端子Ｔ217との間に接続されたアイソレーション抵抗（Ｒ24）２２３とから構成されている。
等２分配器２０４は分配比が１対１で、接続されている等２分配器２０３の出力端子Ｔ212のインピーダンスがＺ0（ｃ＝１）とされていることから、上記（３）（４）式から端子Ｔ214のインピーダンスおよび端子Ｔ215のインピーダンスは共に２Ｚ0と算出される。また、上記（７）（８）式から出力端子Ｔ216のインピーダンスおよび出力端子Ｔ217のインピーダンスはＺ0と算出され、それぞれ出力端子Ｊ3，Ｊ4のインピーダンスＺ0に等しくなる。さらに、伝送線路２２０のインピーダンスＺ27、伝送線路２２１のインピーダンスＺ28は、上記（９）（１０）式から、
Ｚ27＝√（Ｔ214・Ｔ216）＝√｛（２Ｚ0）・Ｚ0｝＝Ｚ0√２
Ｚ28＝√（Ｔ215・Ｔ217）＝√｛（２Ｚ0）・Ｚ0｝＝Ｚ0√２
と算出される。アイソレーション抵抗２２３の抵抗値Ｒ24は、上記（５）式から、
Ｒ24＝Ｔ216＋Ｔ217＝Ｚ0＋Ｚ0＝２Ｚ0
と算出される。
【００３２】
６分配器２の第５の２分配器２４に相当する等２分配器２０５は、入力側の端子Ｔ218に一端が接続され、他端が出力端子Ｔ220に接続されたインピーダンスＺ29の伝送線路２２４と、入力側の端子Ｔ219に一端が接続され、他端が出力端子Ｔ221に接続されたインピーダンスＺ30の伝送線路２２５と、出力端子Ｔ220と出力端子Ｔ221との間に接続されたアイソレーション抵抗（Ｒ25）２２６とから構成されている。
等２分配器２０５は分配比が１対１で、接続されている等２分配器２０３の出力端子Ｔ213のインピーダンスがＺ0（ｃ＝１）とされていることから、上記（３）（４）式から端子Ｔ218のインピーダンスおよび端子Ｔ219のインピーダンスは共に２Ｚ0と算出される。また、上記（７）（８）式から出力端子Ｔ220のインピーダンスおよび出力端子Ｔ221のインピーダンスはＺ0と算出され、それぞれ出力端子Ｊ5，Ｊ6のインピーダンスＺ0に等しくなる。さらに、伝送線路２２４のインピーダンスＺ29、伝送線路２２５のインピーダンスＺ30は、上記（９）（１０）式から、
Ｚ29＝√（Ｔ218・Ｔ220）＝√｛（２Ｚ0）・Ｚ0｝＝Ｚ0√２
Ｚ30＝√（Ｔ219・Ｔ221）＝√｛（２Ｚ0）・Ｚ0｝＝Ｚ0√２
と算出される。アイソレーション抵抗２２６の抵抗値Ｒ25は、上記（５）式から、
Ｒ25＝Ｔ220＋Ｔ221＝Ｚ0＋Ｚ0＝２Ｚ0
と算出される。
【００３３】
以上説明した図４に示す６分配器２００において、不等２分配器２０１、等２分配器２０２、等２分配器２０３、等２分配器２０４、等２分配器２０５はウィルキンソン型２分配器とされており、これらの２分配器における伝送線路２１１，２１２，２１４，２１５，２１７，２１８，２２０，２２１，２２４，２２５の伝送線路は、６分配器２００の使用周波数の波長をλとした際に、いずれも電気長が使用周波数においてλ／４の分布定数線路とされ，そのインピーダンスは上記のように算出されたインピーダンスとされる。伝送線路とされる分布定数線路は、同軸線路、ストリップライン、マイクロストリップライン、コプレナーラインなどとすることができる。６分配器２００において、回路部品としてはアイソレーション抵抗（Ｒ21〜Ｒ25）２１３，２１６，２１９，２２３，２２６が必要となるが、アイソレーション抵抗（Ｒ21〜Ｒ25）の抵抗値は全て同じ抵抗値（２Ｚ0）とされることから、１種類の部品しか必要とせず低コスト化を図ることができる。
【００３４】
ここで、６分配器２００の各部の具体的なインピーダンス値の一例について説明する。入力端子Ｊ0と、６つの出力端子Ｊ1，Ｊ2，Ｊ3，Ｊ4，Ｊ5，Ｊ6の特性インピーダンスＺ0を５０Ωとすると、伝送線路２１１のインピーダンスＺ21は１００．０Ω、伝送線路２１２のインピーダンスＺ22は５０．０Ω、伝送線路２１４，２１５のインピーダンスＺ23，Ｚ24は約８１．６Ω、伝送線路２１７，２１８のインピーダンスＺ25，Ｚ26は約５７．７Ω、伝送線路２２０，２２１のインピーダンスＺ27，Ｚ28は約７０．７Ω、伝送線路２２４，２２５のインピーダンスＺ29，Ｚ30は約７０．７Ωとなる。また、アイソレーション抵抗（Ｒ21〜Ｒ25）の抵抗値は１００Ωとなる。図４に示す６分配器２００のように、ウィルキンソン型電力分配器では耐電力が大きな放熱用フランジ付きのアイソレーション抵抗（Ｒ21〜Ｒ25）が必要となるが、市販されている大きな放熱用フランジ付きのアイソレーション抵抗の抵抗値は１００Ωが、一般的とされている。本発明にかかる６分配器２００では、安価で入手の容易な１００Ωのアイソレーション抵抗だけを用いたウィルキンソン型２分配器のみで構成された、入出力インピーダンスが同一で、いずれの出力端子においても電力分配比が等しい６分配器となる。第２実施例の６分配器２００における出力端子Ｊ1，Ｊ2，Ｊ3，Ｊ4，Ｊ5，Ｊ6の理論的な分配損失は、いずれの出力端子でも約７．８ｄＢとなる。
【００３５】
次に、第３実施例の６分配器３の概略構成を示す回路ブロック図を図５に示す。
図５に示す第５実施例の６分配器３は、ウィルキンソン型２分配器である５個の第１の分配器３０ないし第５の２分配器３６と、２個の整合回路３４，３５とを組み合わせて構成されており、入力端子Ｊ0と、６つの出力端子Ｊ1，Ｊ2，Ｊ3，Ｊ4，Ｊ5，Ｊ6の特性インピーダンスのインピーダンス値は全て等しくＺ0とされている。第３実施例の６分配器３は、第１の２分配器３０により入力端子Ｊ0から入力された信号電力が１対１（１／２ずつ）に等分配されて第２の２分配器３１と第３の２分配器３２に供給される。等分配する第１の２分配器３０の分配された信号電力が出力される一方の出力端子Ｔ30と他方の出力端子Ｔ31との出力インピーダンスは等しくＺ0とされている。
【００３６】
第１の２分配器３０の一方の出力端子Ｔ30から出力される１／２に分配された信号電力は、第２の２分配器３１において２対１に不等分配されて第３の２分配器33と第１の整合回路３４に供給される。不等分配する第２の２分配器３１の２／３に分配された信号電力が出力される一方の出力端子Ｔ32の出力インピーダンスは２Ｚ0／３とされ、１／３に分配された信号電力が出力される他方の出力端子Ｔ33の出力インピーダンスは４Ｚ0／３と、分配比の逆数の比率とされている。
第２の２分配器３１の一方の出力端子Ｔ32から出力される２／３に分配された信号電力は、第４の２分配器３３において１対１（１／２ずつ）に等分配されて２つの出力端子Ｊ1，Ｊ2から出力される。このため、出力端子Ｊ1，Ｊ2から出力される信号電力は（１／２）×（２／３）×（１／２）となり１／６ずつに分配された信号電力となる。また、第２の２分配器３１の一方の出力端子Ｔ33から出力される１／３に分配された信号電力は、第１の整合回路３４を介して出力端子Ｊ3から出力される。出力端子Ｊ3から出力される信号電力は（１／２）×（１／３）となり、１／６に分配された信号電力となる。
【００３７】
第１の２分配器３０の他方の出力端子Ｔ31から出力される１／２に分配された信号電力は、第３の２分配器３２において１対２に不等分配されて２つの出力端子Ｔ34，Ｔ35から出力される。不等分配する第３の２分配器３２の１／３に分配された信号電力が出力される一方の出力端子Ｔ34の出力インピーダンスは４Ｚ0／３とされ、２／３に分配された信号電力が出力される他方の出力端子Ｔ35の出力インピーダンスは２Ｚ0／３と、分配比の逆数の比率とされている。第３の２分配器３２の一方の出力端子Ｔ34から出力される１／３に分配された信号電力は、第２の整合回路３５を介して出力端子Ｊ4から出力される。出力端子Ｊ4から出力される信号電力は（１／２）×（１／３）となり、１／６に分配された信号電力となる。また、第３の２分配器３２の他方の出力端子Ｔ35から出力される２／３に分配された信号電力は、第５の２分配器３６において１対１（１／２ずつ）に等分配されて２つの出力端子Ｊ5，Ｊ6から出力される。このため、出力端子Ｊ5，Ｊ6から出力される信号電力は（１／２）×（２／３）×（１／２）となり１／６ずつに分配された信号電力となる。このように、第３実施例の６分配器３では、入力端子Ｊ0から入力された信号電力が１／６ずつに分配されて、出力端子Ｊ1，Ｊ2，Ｊ3，Ｊ4，Ｊ5，Ｊ6から出力される。この６分配器３の理論的な分配損失はいずれの出力端子でも約７．８ｄＢとなる。
【００３８】
次に、図５に示す第３実施例の６分配器３の詳細な構成を示す回路ブロック図を図６に示す。
第３実施例の６分配器３の詳細な構成が図６に示す６分配器３００とされている。６分配器３００における等２分配器３０１、不等２分配器３０２、不等２分配器３０３、等２分配器３０４、等２分配器３０５はウィルキンソン型２分配器とされており、図５に示す６分配器３の第１の２分配器３０、第２の２分配器３１、第３の２分配器３２、第４の２分配器３３、第５の２分配器３６にそれぞれ相当している。そして、入力端子Ｊ0と、６つの出力端子Ｊ1，Ｊ2，Ｊ3，Ｊ4，Ｊ5，Ｊ6の特性インピーダンスのインピーダンス値は全て等しくＺ0とされている。６分配器３の第１の２分配器３０に相当する等２分配器３０１は、入力端子Ｊ0に一端が接続され、他端が出力端子Ｔ303に接続されたインピーダンスＺ31の伝送線路３１１と、入力端子Ｊ0に一端が接続され、他端が出力端子Ｔ304に接続されたインピーダンスＺ32の伝送線路３１２と、出力端子Ｔ303と出力端子Ｔ304との間に接続されたアイソレーション抵抗（Ｒ31）３１３とから構成されている。
【００３９】
等２分配器３０１は分配比が１対１で、接続されている入力端子Ｊ0のインピーダンスがＺ0（ｃ＝１）とされていることから、上記（３）（４）式から端子Ｔ301のインピーダンスおよび端子Ｔ302のインピーダンスは共に２Ｚ0と算出される。また、上記（７）（８）式から出力端子Ｔ303のインピーダンスはＺ0と算出され、６分配器３の出力端子Ｔ30に相当し、出力端子Ｔ304のインピーダンスはＺ0と算出され、６分配器３の出力端子Ｔ31に相当する。さらに、伝送線路３１１のインピーダンスＺ31、伝送線路３１２のインピーダンスＺ32は、上記（９）（１０）式から、
Ｚ31＝√（Ｔ301・Ｔ303）＝√｛（２Ｚ0）・Ｚ0｝＝Ｚ0√２
Ｚ32＝√（Ｔ302・Ｔ304）＝√｛（２Ｚ0）・Ｚ0｝＝Ｚ0√２
と算出される。アイソレーション抵抗３１３の抵抗値Ｒ31は、上記（５）式から、
Ｒ31＝Ｔ303＋Ｔ304＝Ｚ0＋Ｚ0＝２Ｚ0
と算出される。
【００４０】
６分配器３の第２の２分配器３１に相当する不等２分配器３０２は、入力側の端子Ｔ305に一端が接続され、他端が出力端子Ｔ307に接続されたインピーダンスＺ33の伝送線路３１４と、入力側の端子Ｔ306に一端が接続され、他端が出力端子Ｔ308に接続されたインピーダンスＺ34の伝送線路３１５と、出力端子Ｔ307と出力端子Ｔ308との間に接続されたアイソレーション抵抗（Ｒ32）３１６とから構成されている。
不等２分配器３０２は分配比が２対１で、接続されている等２分配器３０１の出力端子Ｔ303のインピーダンスがＺ0（ｃ＝１）とされていることから、上記（３）（４）式から端子Ｔ305のインピーダンスが３Ｚ0／２と算出され、端子Ｔ306のインピーダンスが３Ｚ0と算出される。また、上記（７）（８）式から出力端子Ｔ307の出力インピーダンスは２Ｚ0／３と算出され、出力端子Ｔ308の出力インピーダンスは４Ｚ0／３と算出される。さらに、伝送線路３１４のインピーダンスＺ33、伝送線路３１５のインピーダンスＺ34は、上記（９）（１０）式から、
Ｚ33＝√（Ｔ305・Ｔ307）＝√｛（３Ｚ0／２）・（２Ｚ0／３）｝＝Ｚ0
Ｚ34＝√（Ｔ306・Ｔ308）＝√｛（３Ｚ0）・（４Ｚ0／３）｝＝２Ｚ0
と算出される。アイソレーション抵抗３１６の抵抗値Ｒ32は、上記（５）式から、
Ｒ32＝Ｔ307＋Ｔ308＝２Ｚ0／３＋４Ｚ0／３＝２Ｚ0
と算出される。
【００４１】
６分配器３の第３の２分配器３２に相当する不等２分配器３０３は、入力側の端子Ｔ320に一端が接続され、他端が出力端子Ｔ322に接続されたインピーダンスＺ38の伝送線路３２１と、入力側の端子Ｔ321に一端が接続され、他端が出力端子Ｔ323に接続されたインピーダンスＺ39の伝送線路３２２と、出力端子Ｔ322と出力端子Ｔ323との間に接続されたアイソレーション抵抗（Ｒ34）３２３とから構成されている。
不等２分配器３０３は分配比が１対２で、接続されている等２分配器３０１の出力端子Ｔ304のインピーダンスがＺ0（ｃ＝１）とされていることから、上記（３）（４）式から端子Ｔ320インピーダンスが３Ｚ0と算出され、端子Ｔ321のインピーダンスが３Ｚ0／２と算出される。また、上記（７）（８）式から出力端子Ｔ322の出力インピーダンスは４Ｚ0／３と算出され、出力端子Ｔ323の出力インピーダンスは２Ｚ0／３と算出される。さらに、伝送線路３２１のインピーダンスＺ38、伝送線路３２２のインピーダンスＺ39は、上記（９）（１０）式から、
Ｚ38＝√（Ｔ320・Ｔ322）＝√｛（３Ｚ0）・（４Ｚ0／３）｝＝２Ｚ0
Ｚ39＝√（Ｔ321・Ｔ323）＝√｛（３Ｚ0／２）・（２Ｚ0／３）｝＝Ｚ0
と算出される。アイソレーション抵抗３２３の抵抗値Ｒ34は、上記（５）式から、
Ｒ34＝Ｔ322＋Ｔ323＝４Ｚ0／３＋２Ｚ0／３＝２Ｚ0
と算出される。
【００４２】
６分配器３の第４の２分配器３３に相当する等２分配器３０４は、入力側の端子Ｔ309に一端が接続され、他端が出力端子Ｔ311に接続されたインピーダンスＺ35の伝送線路３１７と、入力側の端子Ｔ310に一端が接続され、他端が出力端子Ｔ312に接続されたインピーダンスＺ36の伝送線路３１８と、出力端子Ｔ311と出力端子Ｔ312との間に接続されたアイソレーション抵抗（Ｒ33）３１９とから構成されている。
等２分配器３０４は分配比が１対１で、接続されている不等２分配器３０２の出力端子Ｔ307のインピーダンスが２Ｚ0／３（ｃ＝２／３）とされていることから、上記（３）（４）式から端子Ｔ309のインピーダンスおよび端子Ｔ310のインピーダンスは共に４Ｚ0／３と算出される。また、上記（７）（８）式から出力端子Ｔ311のインピーダンスおよび出力端子Ｔ312の出力インピーダンスは共にＺ0と算出され、それぞれ出力端子Ｊ1，Ｊ2のインピーダンスＺ0に等しくなる。さらに、伝送線路３１７のインピーダンスＺ35、伝送線路３１８のインピーダンスＺ36は、上記（９）（１０）式から、
Ｚ35＝√（Ｔ309・Ｔ311）＝√｛（４Ｚ0／３）・Ｚ0｝＝Ｚ0√（４／３）
Ｚ36＝√（Ｔ310・Ｔ312）＝√｛（４Ｚ0／３）・Ｚ0｝＝Ｚ0√（４／３）
と算出される。アイソレーション抵抗３１９の抵抗値Ｒ33は、上記（５）式から、
Ｒ33＝Ｔ311＋Ｔ312＝Ｚ0＋Ｚ0＝２Ｚ0
と算出される。
【００４３】
６分配器３の第５の２分配器３６に相当する等２分配器３０５は、入力側の端子Ｔ324に一端が接続され、他端が出力端子Ｔ326に接続されたインピーダンスＺ41の伝送線路３２５と、入力側の端子Ｔ325に一端が接続され、他端が出力端子Ｔ327に接続されたインピーダンスＺ42の伝送線路３２６と、出力端子Ｔ326と出力端子Ｔ327との間に接続されたアイソレーション抵抗（Ｒ35）３２７とから構成されている。
等２分配器３０５は分配比が１対１で、接続されている不等２分配器３０３の出力端子Ｔ323のインピーダンスが２Ｚ0／３（ｃ＝２／３）とされていることから、上記（３）（４）式から端子Ｔ324のインピーダンスおよび端子Ｔ325のインピーダンスは共に４Ｚ0／３と算出される。また、上記（７）（８）式から出力端子Ｔ326のインピーダンスおよび出力端子Ｔ327の出力インピーダンスは共にＺ0と算出され、それぞれ出力端子Ｊ5，Ｊ6のインピーダンスＺ0に等しくなる。さらに、伝送線路３２５のインピーダンスＺ41、伝送線路３２６のインピーダンスＺ42は、上記（９）（１０）式から、
Ｚ41＝√（Ｔ324・Ｔ326）＝√｛（４Ｚ0／３）・Ｚ0｝＝Ｚ0√（４／３）
Ｚ42＝√（Ｔ325・Ｔ327）＝√｛（４Ｚ0／３）・Ｚ0｝＝Ｚ0√（４／３）
と算出される。アイソレーション抵抗３２７の抵抗値Ｒ35は、上記（５）式から、
Ｒ35＝Ｔ326＋Ｔ327＝Ｚ0＋Ｚ0＝２Ｚ0
と算出される。
【００４４】
伝送線路から構成される整合回路３２０は、不等２分配器３０２の出力端子Ｔ308に一端が接続され、他端が出力端子Ｊ3に接続されて６分配器３の整合回路３４に相当し、そのインピーダンスＺ37は、次式から算出される。
Ｚ37＝√（Ｔ308・Ｚ0）＝√｛（４Ｚ0／３）・Ｚ0｝＝Ｚ0√（４／３）
また、伝送線路から構成される整合回路３２４は、不等２分配器３０３の出力端子Ｔ322に一端が接続され、他端が出力端子Ｊ4に接続されて６分配器３の整合回路３５に相当し、そのインピーダンスＺ40は、次式から算出される。
Ｚ40＝√（Ｔ322・Ｚ0）＝√｛（４Ｚ0／３）・Ｚ0｝＝Ｚ0√（４／３）
【００４５】
以上説明した図６に示す第３実施例の６分配器３００において、等２分配器３０１、不等２分配器３０２、不等２分配器３０３、等２分配器３０４、等２分配器３０５はウィルキンソン型２分配器とされており、これらの２分配器における伝送線路３１１，３１２，３１４，３１５，３１７，３１８，３２１，３２２，３２５，３２６、および、整合回路３２０，３２４の伝送線路は、６分配器３００の使用周波数の波長をλとした際に、いずれも電気長が使用周波数においてλ／４の分布定数線路とされ，そのインピーダンスは上記のように算出されたインピーダンスとされる。伝送線路とされる分布定数線路は、同軸線路、ストリップライン、マイクロストリップライン、コプレナーラインなどとすることができる。６分配器３００において、回路部品としてはアイソレーション抵抗（Ｒ31〜Ｒ35）３１３，３１６，３１９，３２３，３２７が必要となるが、アイソレーション抵抗（Ｒ31〜Ｒ35）の抵抗値は全て同じ抵抗値（２Ｚ0）とされることから、１種類の部品しか必要とせず低コスト化を図ることができる。
【００４６】
ここで、第３実施例の６分配器３００の各部の具体的なインピーダンス値の一例について説明する。入力端子Ｊ0と、６つの出力端子Ｊ1，Ｊ2，Ｊ3，Ｊ4，Ｊ5，Ｊ6の特性インピーダンスＺ0を５０Ωとすると、伝送線路３１１，３１２のインピーダンスＺ31，Ｚ32は７０．７Ω、伝送線路３１４のインピーダンスＺ33は５０．０Ω、伝送線路３１５のインピーダンスＺ34は１００．０Ω、伝送線路３１７，３１８のインピーダンスＺ35，Ｚ36は約５７．７Ω、伝送線路３２１のインピーダンスＺ38は１００．０Ω、伝送線路３２２のインピーダンスＺ39は５０．０Ω、伝送線路３２５，３２６のインピーダンスＺ41，Ｚ42は約５７．７Ωとなる。また、整合回路３２０，３２４の伝送線路のインピーダンスＺ37，Ｚ40は約５７．７Ωとなる。さらに、アイソレーション抵抗（Ｒ31〜Ｒ35）の抵抗値は１００Ωとなる。図６に示す６分配器３００のように、ウィルキンソン型電力分配器では耐電力が大きな放熱用フランジ付きのアイソレーション抵抗（Ｒ31〜Ｒ35）が必要となるが、市販されている大きな放熱用フランジ付きのアイソレーション抵抗の抵抗値は１００Ωが、一般的とされている。本発明にかかる６分配器３００では、安価で入手の容易な１００Ωのアイソレーション抵抗だけを用いたウィルキンソン型２分配器のみで構成された、入出力インピーダンスが同一で、いずれの出力端子においても電力分配比が等しい６分配器となる。第３実施例の６分配器３００における出力端子Ｊ1，Ｊ2，Ｊ3，Ｊ4，Ｊ5，Ｊ6の理論的な分配損失は、いずれの出力端子でも約７．８ｄＢとなる。
【００４７】
ところで、図１および図３に示す第１実施例の５分配器１，１００に替えて、第１の２分配器の分配比を１対４として１／５と４／５とに不等分配し、１／５の分配出力を出力端子から出力すると共に、４／５の分配出力を２対２の分配比の第２の２分配器で２／４と２／４とに等分配する。そして、一方の２／４の分配出力を１対１の分配比の第３の２分配器で等分配して出力端子から出力すると共に、他方の２／４の分配出力を１対１の分配比の第４の２分配器で等分配して出力端子から出力する。このような構成によっても、５分配器を実現できる。そこで、この５分配器４００の詳細な構成を示す回路ブロック図を図７に示す。
図７に示す５分配器４００における不等２分配器４０１、等２分配器４０２、等２分配器４０３、等２分配器４０４はウィルキンソン型２分配器とされており、入力端子Ｊ0と、５つの出力端子Ｊ1，Ｊ2，Ｊ3，Ｊ4，Ｊ5，Ｊ6の特性インピーダンスのインピーダンス値は全て等しくＺ0とされている。
【００４８】
不等２分配器４０１は、入力端子Ｊ0に一端が接続され、他端が出力端子Ｔ403に接続されたインピーダンスＺ41の伝送線路４１１と、入力端子Ｊ0に一端が接続され、他端が出力端子Ｔ404に接続されたインピーダンスＺ42の伝送線路４１２と、出力端子Ｔ403と出力端子Ｔ404との間に接続されたアイソレーション抵抗（Ｒ41）４１３とから構成されている。
不等２分配器４０１は分配比が１対４で、接続されている入力端子Ｊ0のインピーダンスがＺ0（ｃ＝１）とされていることから、上記（３）（４）式から端子Ｔ401のインピーダンスが５Ｚ0と算出され、端子Ｔ402のインピーダンスが５Ｚ0／４と算出される。また、上記（７）（８）式から出力端子Ｔ403の出力インピーダンスは８Ｚ0／５と算出され、出力端子Ｔ404の出力インピーダンスは２Ｚ0／５と算出される。さらに、伝送線路４１１のインピーダンスＺ41、伝送線路４１２のインピーダンスＺ42は、上記（９）（１０）式から、
Ｚ41＝√（Ｔ401・Ｔ403）＝√｛（５Ｚ0）・（８Ｚ0／５）｝＝２Ｚ0√２
Ｚ42＝√（Ｔ402・Ｔ404）＝√｛（５Ｚ0／４）・（２Ｚ0／５）｝＝Ｚ0√（１／２）
と算出される。アイソレーション抵抗４１３の抵抗値Ｒ41は、上記（５）式から、
Ｒ41＝Ｔ403＋Ｔ404＝（８Ｚ0／５）＋（２Ｚ0／５）＝２Ｚ0
と算出される。
【００４９】
不等２分配器４０１からの１／５の分配出力は、整合回路４１４を介して出力端子Ｊ1から出力される。伝送線路から構成される整合回路４１４は、不等２分配器４０１の出力端子Ｔ403に接続された入力側の端子Ｔ405（インピーダンス８Ｚ0／５）に一端が接続され、他端が出力端子Ｊ1に接続された出力端子Ｔ406（インピーダンスＺ0）に接続されており、そのインピーダンスＺ43は、次式から算出される。
Ｚ43＝√（Ｔ405・Ｔ406）  ＝√｛（８Ｚ0／５）・Ｚ0｝＝Ｚ0√（８／５）
【００５０】
また、不等２分配器４０１からの４／５の分配出力が供給される等２分配器４０２は、入力側の端子Ｔ407に一端が接続され、他端が出力端子Ｔ409に接続されたインピーダンスＺ44の伝送線路４１５と、入力側の端子Ｔ408に一端が接続され、他端が出力端子Ｔ410に接続されたインピーダンスＺ45の伝送線路４１６と、出力端子Ｔ409と出力端子Ｔ410との間に接続されたアイソレーション抵抗（Ｒ42）４１７とから構成されている。
等２分配器４０２は分配比が１対１で、接続されている不等２分配器４０１の出力端子Ｔ404のインピーダンスが２Ｚ0／５（ｃ＝２／５）とされていることから、上記（３）（４）式から端子Ｔ407のインピーダンスおよび端子Ｔ408のインピーダンスは共に４Ｚ0／５と算出される。また、上記（７）（８）式から出力端子Ｔ409のインピーダンスおよび出力端子Ｔ410の出力インピーダンスは共にＺ0と算出される。さらに、伝送線路４１５のインピーダンスＺ44、伝送線路４１６のインピーダンスＺ45は、上記（９）（１０）式から、
Ｚ44＝√（Ｔ407・Ｔ409）＝√｛（４Ｚ0／５）・Ｚ0｝＝Ｚ0√（４／５）
Ｚ45＝√（Ｔ408・Ｔ410）＝√｛（４Ｚ0／５）・Ｚ0｝＝Ｚ0√（４／５）
と算出される。アイソレーション抵抗４１７の抵抗値Ｒ42は、上記（５）式から、
Ｒ42＝Ｔ409＋Ｔ410＝Ｚ0＋Ｚ0＝２Ｚ0
と算出される。
【００５１】
等２分配器４０２からの１／２の一方の分配出力が供給される等２分配器４０３は、入力側の端子Ｔ411に一端が接続され、他端が出力端子Ｔ413に接続されたインピーダンスＺ46の伝送線路４１８と、入力側の端子Ｔ412に一端が接続され、他端が出力端子Ｔ414に接続されたインピーダンスＺ47の伝送線路４１９と、出力端子Ｔ413と出力端子Ｔ414との間に接続されたアイソレーション抵抗（Ｒ43）４２０とから構成されている。
等２分配器４０３は分配比が１対１で、接続されている等２分配器４０２の出力端子Ｔ409のインピーダンスがＺ0（ｃ＝１）とされていることから、上記（３）（４）式から端子Ｔ411のインピーダンスおよび端子Ｔ412のインピーダンスは共に２Ｚ0と算出される。また、上記（７）（８）式から出力端子Ｔ413のインピーダンスおよび出力端子Ｔ414の出力インピーダンスは共にＺ0と算出され、それぞれ出力端子Ｊ2，Ｊ3のインピーダンスＺ0に等しくなる。さらに、伝送線路４１８のインピーダンスＺ46、伝送線路４１９のインピーダンスＺ47は、上記（９）（１０）式から、
Ｚ46＝√（Ｔ411・Ｔ413）＝√｛（２Ｚ0）・Ｚ0｝＝Ｚ0√２
Ｚ47＝√（Ｔ412・Ｔ414）＝√｛（２Ｚ0）・Ｚ0｝＝Ｚ0√２
と算出される。アイソレーション抵抗４２０の抵抗値Ｒ43は、上記（５）式から、
Ｒ43＝Ｔ413＋Ｔ414＝Ｚ0＋Ｚ0＝２Ｚ0
と算出される。
【００５２】
また、等２分配器４０２からの１／２の他方の分配出力が供給される等２分配器４０４は、入力側の端子Ｔ415に一端が接続され、他端が出力端子Ｔ417に接続されたインピーダンスＺ48の伝送線路４２１と、入力側の端子Ｔ416に一端が接続され、他端が出力端子Ｔ418に接続されたインピーダンスＺ49の伝送線路４２２と、出力端子Ｔ417と出力端子Ｔ418との間に接続されたアイソレーション抵抗（Ｒ44）４２３とから構成されている。
等２分配器４０４は分配比が１対１で、接続されている等２分配器４０２の出力端子Ｔ410のインピーダンスがＺ0（ｃ＝１）とされていることから、上記（３）（４）式から端子Ｔ415のインピーダンスおよび端子Ｔ416のインピーダンスは共に２Ｚ0と算出される。また、上記（７）（８）式から出力端子Ｔ417のインピーダンスおよび出力端子Ｔ418の出力インピーダンスは共にＺ0と算出され、それぞれ出力端子Ｊ4，Ｊ5のインピーダンスＺ0に等しくなる。さらに、伝送線路４２１のインピーダンスＺ48、伝送線路４２２のインピーダンスＺ49は、上記（９）（１０）式から、
Ｚ48＝√（Ｔ415・Ｔ417）＝√｛（２Ｚ0）・Ｚ0｝＝Ｚ0√２
Ｚ49＝√（Ｔ416・Ｔ418）＝√｛（２Ｚ0）・Ｚ0｝＝Ｚ0√２
と算出される。アイソレーション抵抗４２３の抵抗値Ｒ44は、上記（５）式から、
Ｒ44＝Ｔ417＋Ｔ418＝Ｚ0＋Ｚ0＝２Ｚ0
と算出される。
【００５３】
以上説明した図７に示す５分配器４００において、各部の具体的なインピーダンス値について説明する。入力端子Ｊ0と、５つの出力端子Ｊ1，Ｊ2，Ｊ3，Ｊ4，Ｊ5の特性インピーダンスＺ0を５０Ωとすると、伝送線路４１１のインピーダンスＺ41は約１４１．４Ω、伝送線路４１２のインピーダンスＺ42は約３５．３Ω、整合回路４１４の伝送線路のインピーダンスＺ43は約６３．２Ω、伝送線路４１５，４１６のインピーダンスＺ44，Ｚ45は約４４．７Ω、伝送線路４１８，４１９，４２１，４２２のインピーダンスＺ46，Ｚ47，Ｚ48，Ｚ49は約７０．７Ωとなる。また、アイソレーション抵抗（Ｒ41〜Ｒ44）の抵抗値は１００Ωとなる。
しかしながら、伝送線路４１１のインピーダンスＺ41は約１４１．４Ωと極めて高インピーダンスのため同軸線路やストリップラインでの実現が難しくなる。例えば、伝送線路４１１をプリント基板上に形成したストリップラインで実現する場合、約１４１．４Ωの伝送線路４１１を都合良く形成できる電気的特性のプリント基板を使用すると、３５．３Ωの伝送線路４１２の線路幅が極端に太くなってしまうと言った具合に、実用上大きな問題が生じる。
上記したように、ウィルキンソン型２分配器の分配比には実用上の制限があるが、分配比を２対３や１対２とする場合には、ウィルキンソン型２分配器の伝送線路のインピーダンスは高くても１００Ω以下となり、同軸線路やストリップラインを用いて十分実現することができる。このように、図１ないし図６に示した５分配器および６分配器では実用上の問題を生じることなく実現することができる。
【産業上の利用可能性】
【００５４】
本発明にかかる５分配器および６分配器では、図１および図３における５分配器において、５つの出力端子Ｊ1，Ｊ2，Ｊ3，Ｊ4，Ｊ5を入力端子として、入力端子Ｊ0を出力端子とすれば、図１および図３に示す構成において５電力合成器を実現することができる。また、図２，図４ないし図６における６分配器において、６つの出力端子Ｊ1，Ｊ2，Ｊ3，Ｊ4，Ｊ5，Ｊ6を入力端子として、入力端子Ｊ0を出力端子とすれば、図２，図４ないし図６に示す構成において６電力合成器を実現することができる。
【符号の説明】
【００５５】
１，１００  ５分配器、２  ６分配器、３  ６分配器、０１，０２  伝送線路、１０  第１の２分配器、１１  第２の２分配器、１２  第３の２分配器、１３  第４の２分配器、１４  整合回路、２０  第１の２分配器、２１  第２の２分配器、２２  第３の２分配器、２３  第４の２分配器、２４  第５の２分配器、３０  第１の２分配器、３１  第２の２分配器、３２  第３の２分配器、３３  第４の２分配器、３４  第１の整合回路、３５  第２の整合回路、３６  第５の２分配器、１０００  ２分配器、１０１  不等２分配器、１０２  等２分配器、１０３  不等２分配器、１０４  等分配器、１１１，１１２，１１４，１１５，１１７，１１８，１２１，１２２  伝送線路、１１３，１１６，１１９，１２３  アイソレーション抵抗、１２０  整合回路、２００  不等２分配器、２０１  等２分配器、２０２  等２分配器、２０３  等２分配器、２０４  等２分配器、２０５  等２分配器、２１１，２１２，２１４，２１５，２１７，２１８，２２０，２２１，２２４，２２５  伝送線路、２１３，２１６，２１９，２２３，２２６  アイソレーション抵抗、３００  ６分配器、３０１  等２分配器、３０２  不等２分配器、３０３  不等２分配器、３０４  等２分配器、３０５  等２分配器、３１１，３１２，３１４，３１５，３１７，３１８，３２１，３２２，３２５，３２６  、３１３，３１６，３１９，３２３，３２７  アイソレーション抵抗、３２０，３２４  整合回路、４００  不等２分配器、４０１  等２分配器、４０２  等２分配器、４０３  等２分配器、４０４  等２分配器、４１１、４１２，４１５，４１６，４１８，４１９，４２１，４２２  伝送線路、４１３、４１７，４２０，４２３  アイソレーション抵抗、４１４  整合回路、Ｊ０  入力端子、Ｊ１，Ｊ２，Ｊ３，Ｊ４，Ｊ５  出力端子、Ｊ１，Ｊ２，Ｊ３，Ｊ４，Ｊ５，Ｊ６  出力端子
【図１】
0006362441.tif 000002
【図２】
0006362441.tif 000003
【図３】
0006362441.tif 000004
【図４】
0006362441.tif 000005
【図５】
0006362441.tif 000006
【図６】
0006362441.tif 000007
【図７】
0006362441.tif 000008
【図８】
0006362441.tif 000009
【図９】
0006362441.tif 000010
【図１０】
0006362441.tif 000011